(57)【要約】本発明は、小さいサイズの携帯型電子機器用のパッチ・アンテナ（２０）に関し、このアンテナが、誘電体（２２）によって接地プレーン（２３）から隔てられた放射素子（２１）を含み、さらに、前記放射素子および前記接地プレーン（２３）をそれぞれ電子モジュール（６）に電気的に接続させるエネルギー供給導体（２５）および接地導体（２６）を含む。接地プレーン（２３）は、前記接地プレーンの外側に折れ曲がって前記接地プレーン（２３）を前記電子モジュール（６）に直接連結させる少なくとも１つの足部（２６ａ、２６ｂ）を含むスタンピング金属板から成り、前記足部（２６ａ、２６ｂ）がアンテナの前記接地導体（２６）を形成している。
2004534467.tif 000002
【特許請求の範囲】
【請求項１】
誘電体（２２）によって接地プレーン（２３）から隔てられた放射素子（２１）を含み、さらに、前記放射素子および前記接地プレーン（２３）をそれぞれ電子モジュール（６）に電気的に接続させる給電導体（２５）および接地導体（２６）を含む、小型の携帯型電子機器用のパッチ型アンテナ（２０）であって、
前記接地プレーン（２３）が、前記接地プレーンの外側に曲がって前記接地プレーン（２３）を前記電子モジュール（６）に直接接続させる少なくとも１つの足部（２６ａ、２６ｂ）を含むスタンピング金属板から形成され、前記足部（２６ａ、２６ｂ）がアンテナの前記接地導体（２６）を形成することを特徴とするアンテナ。
【請求項２】
接地プレーン（２３）を形成する前記スタンピング金属板が中央開口部（２３ａ）を有しており、その中に、突出部（２３ｂ）が突出し、接地プレーン（２３）の外側に曲がり、前記接地導体（２６）を形成する第１および第２足部（２６ａ、２６ｂ）を形成するように開口する、本質的に「Ｕ」字形を有することを特徴とする請求項１に記載のアンテナ。
【請求項３】
前記接地プレーン（２３）が携帯型電子機器のシールド板（１００＊）の一体部分を形成することを特徴とする請求項１に記載のアンテナ。
【請求項４】
前記アンテナが前記電子モジュールに対して傾いた位置にくるように、前記少なくとも１つの足部（２６ａ、２６ｂ）が前記接地プレーン（２３）の外側に延びることを特徴とする請求項２または３に記載のアンテナ。
【請求項５】
前記給電導体（２５）の中心が、放射素子（２１）の対称中心に対してずれていることを特徴とする請求項１に記載のアンテナ。
【請求項６】
前記接地プレーン（２３）が、前記接地導体（２６）を形成する、給電導体（２５）の両側に対称的に並ぶように配置された第１および第２足部（２６ａ、２６ｂ）を含むことを特徴とする請求項１に記載のアンテナ。
【請求項７】
電子モジュール（６）と、前記電子モジュール（６）に電気的に接続されたパッチ型アンテナ（２０）とを含む、腕時計（１、１＊）などの小型の携帯型電子機器において、前記アンテナ（２０）が、誘電体（２２）によって接地プレーン（２３）から隔てられた放射素子（２１）を含み、さらに、前記放射素子および前記接地プレーン（２３）をそれぞれ前記電子モジュール（６）に電気的に接続させる給電導体（２５）および接地導体（２６）を含む機器であって、
前記接地プレーン（２３）が、前記接地プレーンの外側に曲がって前記接地プレーン（２３）を前記電子モジュール（６）に直接接続させる少なくとも１つの足部（２６ａ、２６ｂ）を含むスタンピング金属板から形成され、前記足部（２６ａ、２６ｂ）がアンテナの前記接地導体（２６）を形成することを特徴とする機器。
【請求項８】
接地プレーン（２３）を形成する前記スタンピング金属板が中央開口部（２３ａ）を有しており、その中に、突出部（２３ｂ）が突出し、接地プレーン（２３）の外側に折れ曲がり、前記接地導体（２６）を形成する第１および第２足部（２６ａ、２６ｂ）を形成するように開口する、本質的に「Ｕ」字形を有することを特徴とする請求項７に記載の機器。
【請求項９】
前記接地プレーン（２３）が携帯型電子機器のシールド板（１１０＊）の一体部分を形成することを特徴とする請求項７に記載の機器。
【請求項１０】
前記アンテナが、前記電子モジュール（６）が配置されている平面（ＩＩ）に対して傾いた位置に配置されることを特徴とする請求項７に記載の機器。
【発明の詳細な説明】
【技術分野】
【０００１】
本発明は、一般に、小型の携帯型電子機器用、特に時計用のパッチ型アンテナに関する。より詳細には、このアンテナは、衛星測位およびナビゲーション（positioning and navigation）信号を受信でき、したがって、アメリカのＧＰＳ測位システム、ロシアのＧＬＯＮＡＳＳ測位システム、さらには未来の欧州衛星測位システムＧＡＬＩＬＥＯと互換性のある受信器など、測位およびナビゲーション信号受信器に組み込まれるものである。また本発明は、そのようなパッチ・アンテナを含む携帯型電子機器にも関する。
【背景技術】
【０００２】
パッチ・アンテナ（マイクロストリップ・アンテナとも呼ばれる）には、通常、接地プレーンと、セラミック材料などの誘電体によって接地プレーンから隔てられた放射素子とが含まれる。このタイプのアンテナの全体的な形状は、一般に平行六面体である。この放射素子および接地プレーンには、それぞれ給電導体および接地導体が接続されている。これらの導体は、通常、同軸コネクタの形に作製されており、内導体は給電導体を形成し、外導体は接地導体を形成する。このタイプのアンテナは、特にＧＰＳまたは衛星を介して測位信号を受信する同様の受信器で使用される。
【０００３】
欧州特許第０９８２６３９号は、たとえば、ユーザの手首に着用されるように意図された電子機器を記載しており、その機器は、特にＧＰＳ信号を受信するパッチ型アンテナに対応している。この文書には様々な変形形態が提示されており、そのそれぞれで、パッチ・アンテナが直接に表示デバイスに近接してプリント回路基板の表面上に置かれている。
【０００４】
２０００年９月２８〜２９日ジュネーブでのＥｕｒｏｐｅａｎ  Ｃｈｒｏｎｏｍｅｔｒｙ  Ｃｏｎｇｒｅｓｓ、ＣＥＣ２０００、セッション７、コミュニケーション１９の、Ｐ．−Ａ．Ｆａｒｉｎｅら（Ａｓｕｌａｂ  Ｓ．Ａ．）による文書「ＧＰＳ  ｗａｔｃｈ−Ｕｎｅ  ｍｏｎｔｒｅ  ａ  ｑｕａｒｔｚ  ａｎａｌｏｇｉｑｕｅ  ｅｑｕｉｐｅｅ  ｄ’ｕｎ  ｒｅｃｅｐｔｅｕｒ  ＧＰＳ  ａ  ｔｒｅｓ  ｆａｉｂｌｅ  ｃｏｎｓｏｍｍａｔｉｏｎ」は、ＧＰＳ受信器とパッチ・アンテナとを含む、腕時計形をした電子機器の他の例を提示している。この例では、パッチ・アンテナが時計の１２時の領域でその接地プレーン上に置かれており、この接地プレーン自体が時計の主要なプリント回路基板上に配置されている。このアンテナの寸法は、約１３×１３×４ｍｍ3程度である。
【０００５】
前述した解決策の欠点の１つは、アンテナとその接地プレーンとが、直接にプリント回路基板面上に、機器の電子構成部品に近接して置かれているという事実にあり、この近接性により、アンテナと、電子構成部品、特に表示デバイスおよび電子モジュールとの間の相互干渉を軽減または防止するために、構成部品を特殊な配置にし、比較的複雑なシールドを精巧に形成する必要がある。このシールドが、電子機器の様々な要素および構成部品の組立て操作を著しく複雑なものにしている。
【０００６】
前述した解決策の他の欠点は、機器の外装を、アンテナの機能に干渉しない材料、特に非金属材料で作製しなければならないという事実にある。また、機器の美的外観も、機器の外装を作製するのに使用できる限られた材料選択に左右される。
【特許文献１】
欧州特許第０９８２６３９号
【非特許文献１】
Ｅｕｒｏｐｅａｎ  Ｃｈｒｏｎｏｍｅｔｒｙ  Ｃｏｎｇｒｅｓｓ、ＣＥＣ２０００、セッション７、コミュニケーション１９の、Ｐ．−Ａ．Ｆａｒｉｎｅら（Ａｓｕｌａｂ  Ｓ．Ａ．）による文書ＧＰＳ  ｗａｔｃｈ−Ｕｎｅ  ｍｏｎｔｒｅ  ａ  ｑｕａｒｔｚ  ａｎａｌｏｇｉｑｕｅ  ｅｑｕｉｐｅｅ  ｄ’ｕｎ  ｒｅｃｅｐｔｅｕｒ  ＧＰＳ  ａ  ｔｒｅｓ  ｆａｉｂｌｅ  ｃｏｎｓｏｍｍａｔｉｏｎ
【発明の開示】
【発明が解決しようとする課題】
【０００７】
本発明の主な目的は、電子機器の設計に高い自由度を与え、その構造が、望むなら機器の外装に金属材料の利用が可能になる小型の携帯型電子機器用のアンテナ構成を提案することである。
【０００８】
本発明の他の目的は、アンテナのための堅固な機械的支持を保証し、同時に携帯型機器の電子モジュールへの電気的接続を容易かつ単純なものにする解決策を提案することである。
【課題を解決するための手段】
【０００９】
したがって、本発明は、独立請求項１にその特徴が記載されているパッチ型アンテナに関する。
【００１０】
本発明は、また、独立請求項７にその特徴が記載されている腕時計などの小型の携帯型電子機器に関する。
【００１１】
本発明の有利な実施形態は従属請求項の主題を成す。
【００１２】
本発明によれば、アンテナの接地プレーンが、有利には、接地プレーンの外側に曲がって接地プレーンを電子モジュールに直接接続させる少なくとも１つの足部を含むスタンピング金属板から形成され、この足部がアンテナの接地導体を形成する。
【００１３】
本発明によれば、アンテナが電子モジュールからある距離だけ離れているが、アンテナの組立ておよび接続が大幅に容易になる。実際、接地導体が有利にはアンテナの接地プレーンの一体部分を形成しているので、アンテナに給電するために同軸導体などの別個の１対の導体を機器に設ける必要がない。さらに、機器の様々な電子／電気構成部品がアンテナの接地プレーンの実質的に背後に位置するようにアンテナが配置されているので、アンテナとの干渉を軽減する利点がもたらされる。
【００１４】
本発明の他の特徴および利点は、単に非限定的な例として添付の図面に示す本発明の好ましい実施形態についての以下の詳細な説明を読めばより明らかになろう。
【発明を実施するための最良の形態】
【００１５】
図１は、全体的に参照番号１で示される、有利には腕時計の形態をした本発明による携帯型電子機器の平面図を示す。この腕時計１は、腕時計の内部に配置された電子モジュール（図２の６）に電気的に接続されたアンテナ２０が取り付けられている。この例では、このアンテナ２０は、１つまたはいくつかの遠隔発信源から発信された高周波信号を受け取るものである。より詳細には、このアンテナは、アメリカのＮＡＶＳＴＡＲシステムから発せられるＧＰＳ（全地球測位システム：Ｇｌｏｂａｌ  Ｐｏｓｉｔｉｏｎｉｎｇ  Ｓｙｓｔｅｍ）信号などの衛星測位およびナビゲーション信号、あるいはロシアのＧＬＯＮＡＳＳシステムや未来の欧州衛星測位ＧＡＬＩＬＥＯシステムなどの同様のシステムから発せられる他の衛星測位信号を受け取るものである。
【００１６】
腕時計１は、従来の腕時計と同様の全体的外観を有し、アンテナ２０に加えて、全体が参照番号２で表されているケースと、ケース２に取り付けられたリストバンド（図示せず）と、ガラス３と、その下に配置され、ケース２内に収容された表示デバイス５（液晶表示など）と、制御部材１２〜１６、すなわち５つの押しボタンとを含んでおり、押しボタンの１つ（１６）が６時の位置に置かれ、他の４つ（１２〜１５）がケース２の外周部にある。
【００１７】
図２は、図１に示す腕時計１の、６時〜１２時の軸に平行に腕時計の中心を通過する線Ａ−Ａ’に沿った断面を示す。やはり、ケース２と、ガラス３と、表示デバイス５と、パッチ・アンテナ２０と、６時の位置に置かれた押しボタン１６とを見ることができる。腕時計１は、さらに、ケース２の内部に配置された電子モジュール６を含んでおり、これには特に、機器の様々な電子／電気構成部品が実装されたプリント回路基板６０と、特に電子モジュール６および表示デバイス５に電力を供給する電源１０とが含まれる。この例では、電源１０はケース２の底部に置かれた充電式蓄電池である。ただし、この電源１０は、従来のバッテリとすることができ（その場合、交換できるように好ましくはケース底部にバッテリ・ハッチを設けなければならない）、あるいは十分な電力を供給できる他のいずれかの供給源とすることができる。
【００１８】
図２に示すように、表示デバイス５すなわち液晶表示は、電子モジュール６の上に重ねて、電子モジュール６の上面の上に置かれている。表示デバイス５は、可撓性コネクタ５０によって電子モジュール６に電気的に接続されている。表示デバイス５と電子モジュール６との間に、参照番号５６で表されるエレクトロ・ルミネッセント・シートが挿入されている。このエレクトロ・ルミネッセント・シート５６は、５７で表される１対のコネクタによって電子モジュール６に電気的に接続されている。ただし図２では、説明のために一方のコネクタしか示されていない。各コネクタ５７には、スタッドと接点バネとが含まれる。
【００１９】
図２では、参照番号１００、１０２、１０４、１０６が、モジュール６の電子回路をシールドする金属板を示していることに留意されたい。
【００２０】
ケース２には、底部４ａと側壁４ｂとを有する外装本体４と、外装本体４上に嵌合したベゼル７を形成する要素とが含まれる。底部４ａおよび側壁４ｂが一体品に作製されることが好ましいが、別個の２個の部品を合わせて組み立てることも想定でき、この例ではそれらが一体となって、通常はリストバンド（図示せず）がその上に取り付けられる、腕時計１の裏面カバーの中央部を形成する。
【００２１】
ベゼル要素７は、外装本体４に、あるいはより正確には外装本体４の側壁４ｂに嵌合して、ガラス３を支持しており、ガラス３が要素７に接着または溶着されていることが好ましい。
【００２２】
有利には、このベゼル要素７がプラスチック材料製であり、ガラス３が、たとえば公知の超音波方法によって溶着されている。
【００２３】
ベゼル要素７が、たとえば、要素７の外周に形成されたショルダと、外装本体４の側壁４ｂに形成された同様のショルダとの間に置かれたＯリング・ジョイント３０によって、外装本体に耐水的に嵌合することが好ましい。
【００２４】
本発明のこの実施形態によれば、アンテナ２０は、ベゼル要素７によって機械的に支持され、７ａで表されるその外面上に置かれている。このアンテナ２０は、必要ならば、外面７ａ上に接着させ、あるいは他の適切な固定手段によって保持させることができる。アンテナ２０は、有利には、１２時のところで、表示デバイス５および電子モジュール６が配置されているＩＩで表されている平面に対して傾いた位置に配置される。したがって、アンテナは、ユーザが表示デバイス５上のデータを読むときの手首の自然な位置についてＧＰＳ信号の受信が最適化されるように、有利にはほぼ上方を向いている。また要素７は、アンテナ２０に加え、腕時計の制御部材１２〜１６も支えていることに留意すべきである。
【００２５】
腕時計１がまた、ケース２内でベゼル要素７と外装本体４の底部４ａとの間に配置された、ケーシング・リングを形成する追加要素８を含むことが好ましい。要素７と８は、一面では、表示デバイス５と電子モジュール６とが内部に収容された容器の上側部分と底側部分とを形成している。ケーシング・リング要素８と外装本体４の底部４ａとの間には、電源１０が配置されている。この蓄電池を、代替的に、表示デバイス５と電子モジュール６と共に要素７と８との間に収容できることが容易に理解できるであろう。
【００２６】
外装本体４が金属材料製で、ベゼル要素７（および要素８）がプラスチック材料製であることが好ましい。また、参照番号１１（図１参照）で表される本質的に環状の外装要素も、たとえばスナップ嵌めによって要素７に嵌合されてその要素７を覆っている。この例では、外装の環状要素１１は、外装本体４を作製するのに使用される材料と同様の材料で作製されることが好ましく、アンテナ２０を格納する開口１１ａ（図１に示す）を有する。また、アンテナ２０を外部環境から保護するために、誘電性材料製の保護蓋９もベゼル要素７に追加される。あるいは、外装の環状要素１１と保護蓋９とを、アンテナ２０の機能を妨害しない１個の材料片で作製できることが容易に理解できるであろう。
【００２７】
図２を再度より詳細に参照すると、パッチ・アンテナ２０が、本質的に平行六面形であり、セラミック要素などの誘電体２２によって大きな寸法の接地プレーン２３から隔てられた放射素子２１を含むことがわかるであろう。放射素子２１は、接地プレーン２３から絶縁され、誘電体２２を通過して電子モジュール６に接続される給電導体２５によって給電されており、要素７に給電導体２５を通すための開口７ｃが設けられている。接地プレーン２３自体は、やはり開口７ｃを通過する別個の接地導体２６によって電子モジュールに電気的に接続されている。
【００２８】
したがって本発明によれば、アンテナ２０が、その接地プレーン２３を介してベゼル要素７の外面７ａ上に置かれる。従来技術の解決策では、このタイプのアンテナは、一般に電子モジュールの表面上に並べられており、これには前述した欠点、すなわち、時計の電子回路との干渉が大きいので特殊なシールドが必要であり、望ましい場合でも金属材料製のケースを作製できないという欠点があった。アンテナ２０の接地プレーン２３がベゼル要素７の外面７ａに接着されることが好ましいことに留意する必要がある。
【００２９】
ここで、図３ａ、３ｂ、４ａ、４ｂを参照すると、パッチ・アンテナ２０の特定の構造と特にその接地プレーン２３とがより詳細に示されている。図３ａおよび３ｂは、それぞれ、本発明の第１の実施形態の範囲内で使用されるパッチ・アンテナ２０の断面図および平面図を示す。やはり、放射素子２１、誘電体２２、および接地プレーン２３、ならびに給電導体２５および接地導体２６を見ることができる。
【００３０】
図３ｂに示されているように、特にアンテナ２０が円形のタイプの偏波を有するように、給電導体２５の中心が放射素子２１の対称中心に対してずれている。またこの中心がずれた位置が、アンテナのインピーダンスの規定に寄与することに留意されたい。また、給電導体２５が接地導体２６から隔てられている距離は、従来のように、適切なやり方でアンテナを関連受信回路に整合させるように選択される。コネクタ２５、２６の具体的な形状が、アンテナの特性インピーダンスを規定することに留意されたい。
【００３１】
より詳細には、本発明によれば、接地プレーン２３には、接地プレーン２３の外に延びて接地導体２６を形成する２つの足部２６ａおよび２６ｂが含まれる。これらの足部２６ａ、２６ｂが、給電導体２５の両側に対称的に並ぶように配置されていることに留意されたい。図４ａおよび４ｂは、接地プレーン２３の構造をより詳細に示している。この接地プレーン２３は、有利には、従来のスタンピング方法によって形成された金属板で作製される。この板は、初めに中央開口部２３ａを有するように切り抜かれ、その開口部に、中央開口部２３ａが形成されて本質的に「Ｕ」字形とされた突出部２３ｂが突き出ており、、最終的にはそこから足部２６ａ、２６ｂが形成される。切断操作が終わったときの接地プレーン２３の構造が図４ｂに破線で示されており、この段階の足部が参照番号２６ａ＊および２６ｂ＊によって表されている。次いで、突出部２３ｂが折り曲げられて、図のように接地プレーン２３の外へ延びる足部２６ａ、２６ｂが形成される。給電導管２５が、図３ａおよび３ｂに示されているのと同様の外形を有するように形成されることに留意されたい。この例では、足部２６ａ、２６ｂおよび給電導体２５の外形は、アンテナが接続される電子モジュールに対して、このアンテナが傾いた位置にくるように選択される。
【００３２】
本発明によれば、接地導体２６が接地プレーン２３の一体部分を形成しているので、アンテナ２０が直接電子モジュール６上には置かれていないが、アンテナ２０の電子モジュール６への接続が大幅に単純化されることに留意されたい。図２に示されているように、接地導体２６すなわち接地プレーン２３の足部２６ａおよび２６ｂと、給電導体２５とが、溶接、はんだによって電子モジュール６のプリント回路基板６０に直接接続されており、それぞれの対応する接点オリフィスがプリント回路基板６０内に配置されていることに留意されたい。
【００３３】
また、ここに提案する、導体２５、２６で形成されるアンテナ・コネクタが、アンテナとプリント回路基板６０上のライン（図示せず）との間でそのインピーダンスが適合されているラインを規定するので、不整合損失（ミスマッチ・ロス）が最小限に抑えられることに留意されたい。
【００３４】
図１および図２の例では、アンテナが、外装本体４上に嵌合したベゼル要素７によって機械的に支持されていることに留意されたい。この構築は、金属製の外装本体を含む携帯型機器を作製するのに特に有利である。この独特の構築に関するさらなる詳細については、２００１年７月５日に本出願人の名称で出願された欧州特許出願第０１２０２５９３．８号を参照することができる。なお、その優先権をここに主張する。
【００３５】
本発明の主題を成すアンテナおよびその接地プレーンの特定の構造が、図１および図２の具体的な例だけに限定されないことに留意されたい。したがって、同様の構造を異なる構築で使用することも完全に想定可能である。たとえば、図５は、想定できる本発明の他の実施形態を示しており、アンテナの接地プレーンが携帯型電子機器のシールド板の一体部分を形成している。図１および図２の実施形態とは異なり、アンテナの接地プレーン２３が、追加要素（ベゼル要素７など）にはもはや置かれておらず、機器の電子回路のシールドに固定されていることに留意されたい。図５の構築が、非金属製（たとえばプラスチック製）の外装、あるいは一般的に、アンテナの機能を妨害しない材料製の外装が設けられた携帯型機器の作製に適していることは言うまでもない。
【００３６】
図５の例では、本発明による携帯型電子機器の他の実施形態を成す腕時計が、全体を参照番号１＊で表されている。図示された断面（時計の６時〜１２時の軸に沿った断面）では、本質的に、やはり図２の断面図と同じ要素、すなわち、ガラス３、可撓性コネクタ５０によって電子モジュール６のプリント回路基板６０に接続された表示デバイス５、表示デバイス５の下方に置かれたエレクトロルミネッセント・シート、電源１０、ならびにパッチ・アンテナ２０と、その放射素子２１、その誘電体２２、その接地プレーン２３、その給電導体２５および接地導体２６とが見られる。これらの要素５、６、１０、２０は、ここでは参照番号２＊によって表される、２つの組み合わされた部品４ａ＊および４ｂ＊で形成されたケース内に収容されている。この例では、底側部品４ａ＊が機器の裏面カバーの中央部を形成し、上側に追加された要素４ｂ＊が、一面では、機器１＊のケースのためのカバーを形成している。
【００３７】
図５に概略的に示されているように、この機器は、また、プリント回路基板６０の上面および底面上にそれぞれ配置されたシールド要素１００＊および１０２＊を含む。より詳細には、上部シールド要素１００＊がスタンピング金属板で形成されており、その端部がアンテナ２０の接地プレーン２３を形成している。したがってこの例では、前述の実施形態とは異なり、アンテナ２３の接地プレーンがアンテナのシールド構造の一体部分を形成する。アンテナが、常にプリント回路基板６０からある距離をあけて置かれ、前記プリント回路基板６０の面上に直接には置かれないことに留意すべきである。この構成によって、電子モジュール６上の空間が解放され、機器の電気／電子構成部品のほとんどをアンテナの背後に配置してその操作特徴を改善することができる。さらに、必然的に、機器の外装設計について高い自由度が得られる。最後に、アンテナの接地導体２６が接地プレーン２３の一体部分を形成するという事実から、アンテナ２０の電子モジュール６への電気的接続がやはり容易なままである。
【００３８】
この第２の実施形態では、接地プレーン２３全体がシールド板１００＊によって形成されるという事実を除き、アンテナ２０の接地プレーン２３の構成が、図３ａ、３ｂ、４ａ、４ｂに示した構成に対してほとんど変わっていないことに留意されたい。したがって、それについて再度説明はしない。
【００３９】
また、表示デバイス５によって表示されるデータを普通に読むときの測位信号を受信するアンテナの向きを最適化するために、やはりアンテナ２０が、表示デバイス５および電子モジュール６が位置する平面に対して傾いた平面内に配置されていることにも留意されたい。
【００４０】
特許請求の範囲で定義される本発明の範囲から逸脱することなく、本記載内容に記載した実施形態に当業者に自明の様々な変更および／または改善を実施できることが、全般的に理解されよう。特に、本発明は、図に示した腕時計に限定されるものではなく、手首上に装着可能／装着不可能な他の携帯型機器にも適用することができる。さらに、アンテナを常に１２時のところに配置された状態で示したが、言うまでもなく、このアンテナを中心からずれた他の位置、たとえば、９時、３時、６時、あるいは対角線上までにも配置することができる。
【図面の簡単な説明】
【００４１】
【図１】本発明の第１の実施形態を形成する腕時計の平面図である。
【図２】図１の線Ａ−Ａ’に沿った腕時計の断面図である。
【図３】図１の腕時計に嵌合したパッチ型アンテナの断面図（ａ）と平面図（ｂ）である。
【図４】図３ａおよび３ｂに示したアンテナの接地プレーンの断面図（ａ）と平面図（ｂ）である。
【図５】やはり腕時計の形態をした本発明の第２の実施形態を示す、図２と同一のタイプの断面図であり、アンテナの接地プレーンが機器のシールド板の一体部分を形成している図である。
【図１】
2004534467.tif 000003
【図２】
2004534467.tif 000004
【図３】
2004534467.tif 000005
【図４】
2004534467.tif 000006
【図５】
2004534467.tif 000007
【国際公開パンフレット】
2004534467.tif 000008
2004534467.tif 000009
2004534467.tif 000010
2004534467.tif 000011
2004534467.tif 000012
2004534467.tif 000013
2004534467.tif 000014
2004534467.tif 000015
2004534467.tif 000016
2004534467.tif 000017
2004534467.tif 000018
2004534467.tif 000019
2004534467.tif 000020
2004534467.tif 000021
2004534467.tif 000022
2004534467.tif 000023
2004534467.tif 000024
2004534467.tif 000025
【手続補正書】
【提出日】平成15年4月22日(2003.4.22)
【手続補正１】
【補正対象書類名】特許請求の範囲
【補正対象項目名】全文
【補正方法】変更
【補正の内容】
【特許請求の範囲】
【請求項１】
小型の携帯型電子機器用のパッチ型アンテナ（２０）において、誘電体（２２）によって接地プレーン（２３）から隔てられた放射素子（２１）を含み、さらに、前記放射素子および前記接地プレーン（２３）をそれぞれ電子モジュール（６）に電気的に接続させる給電導体（２５）および接地導体（２６）を含み、
前記接地プレーン（２３）が、前記給電導体（２５）が通過する中央開口部（２３ａ）を有するスタンピング金属板から形成され、
前記接地プレーンが、前記中央開口部（２３ａ）内に延びて前記放射素子（２１）とは反対方向で前記接地プレーンの外側に曲がった突出部（２３ｂ）を含み、前記突出部がアンテナの前記接地導体（２６）を形成するアンテナであって、
前記突出部（２３ｂ）が、第１および第２足部（２６ａ、２６ｂ）を形成するように開口する「Ｕ」字形をしていることを特徴とするアンテナ。
【請求項２】
前記接地プレーン（２３）が携帯型電子機器のシールド板（１００＊）の一体部分を形成することを特徴とする請求項１に記載のアンテナ。
【請求項３】
前記アンテナが前記電子モジュールに対して傾いた位置にくるように、前記足部（２６ａ、２６ｂ）が前記接地プレーン（２３）から外側に延びることを特徴とする請求項１または２のいずれかに記載のアンテナ。
【請求項４】
前記給電導体（２５）の中心が放射素子（２１）の対称中心に対してずれていることを特徴とする請求項１に記載のアンテナ。
【請求項５】
前記接地導体（２６）を形成する第１および第２足部（２６ａ、２６ｂ）が、給電導体（２５）の両側に対称的に並ぶように配置されることを特徴とする請求項１に記載のアンテナ。
【請求項６】
電子モジュール（６）と、前記電子モジュール（６）に電気的に接続されたパッチ型アンテナ（２０）とを含む、腕時計（１、１＊）などの小型の携帯型電子機器において、前記アンテナ（２０）が、誘電体（２２）によって接地プレーン（２３）から隔てられた放射素子（２１）を含み、さらに、前記放射素子および前記接地プレーン（２３）をそれぞれ前記電子モジュール（６）に電気的に接続させる給電導体（２５）および接地導体（２６）を含み、
前記接地プレーン（２３）が、前記給電導体（２５）が通過する中央開口部（２３ａ）を有するスタンピング金属板から形成され、
前記接地プレーンが、前記中央開口部（２３ａ）内に延びて前記放射素子（２１）とは反対方向で前記接地プレーン（２３）の外側に曲がって前記接地プレーン（２３）を前記電子モジュール（６）に直接接続させる突出部（２３ｂ）を含み、前記突出部（２３ｂ）がアンテナの前記接地導体（２６）を形成する機器であって、
前記突出部（２３ｂ）が、本質的に、第１および第２足部（２６ａ、２６ｂ）を形成するように開口する「Ｕ」字形をしていることを特徴とする機器。
【請求項７】
前記接地プレーン（２３）が携帯型電子機器のシールド板（１１０＊）の一体部分を形成することを特徴とする請求項６に記載の機器。
【請求項８】
前記アンテナが、前記電子モジュール（６）が配置されている平面（ＩＩ）に対して傾いた位置に配置されることを特徴とする請求項６に記載の機器。
【請求項９】
前記接地導体（２６）を形成する前記第１および第２足部（２６ａ、２６ｂ）が、給電導体（２５）の両側に対称的に並ぶように配置されていることを特徴とする請求項６に記載の機器。
【国際調査報告】
2004534467.tif 000026
2004534467.tif 000027
2004534467.tif 000028
2004534467.tif 000029
2004534467.tif 000030
2004534467.tif 000031